(57)【要約】【課題】集合表示器において、並べた表示器の列数や段数が多いと接続作業が困難になる。【解決手段】集合表示器１は、複数の表示器２の背面に外部電源端子５と信号入力端子６を設けた多数の表示器２を水平方向及び/又は垂直方向に並べて、これら表示器２相互をスライド導体３，４により電気的に接続することにより形成されている。スライド導体３，４は、表示器２内にスライド可能に取り付けられていて外部電源端子５と接触状態を保ちながらスライドする。スライド導体３，４を一方向にスライドさせると、先端部３ａ，４ａが表示器２の外部に突出して、隣接する表示器２内に侵入して、該表示器２のスライド導体３，４に接続される。【選択図】図３
2013190707.tif 000002
【特許請求の範囲】
【請求項１】
側面に外部端子を設けた複数の表示器を横方向及び縦方向に並べて、これら表示器相互を導体により電気的に接続することにより構成した集合表示器において、
上記表示器内に、上記外部端子と接触状態を保ちながら上記表示器内をスライドするスライド導体と、該スライド導体のスライドをガイドするスライドガイド機構を設け、上記スライド導体を導体操作摘みで一方向にスライドさせることにより、その先端部を上記表示器外に突出させて、該先端部を隣接する表示器内に挿入して隣接する表示器のスライド導体に接続することを特徴とする集合表示器。
【請求項２】
上記スライド導体は、横方向に隣接する表示器に接続する横方向スライド導体と、縦方向に隣接する表示器に接続する縦方向スライド導体と、からなり、
上記スライドガイド機構は、上記横方向スライド導体のスライドをガイドする横方向スライドガイドと、上記縦方向スライド導体のスライドをガイドする縦方向スライドガイドと、からなることを特徴とする請求項１に記載の集合表示器。
【請求項３】
上記横方向スライド導体の操作摘みは、上記表示器の上面に設けた横方向スライド導体操作摘み受け孔内に収容し、上記縦方向スライド導体の操作摘みは、上記表示器の側面に設けた縦方向スライド導体操作摘み受け孔内に収容したことを特徴とする請求項１又は２に記載の集合表示器。
【請求項４】
上記スライドガイド機構は、絶縁材で断面略コ字状に形成されたレール部材と、該レール部材の対向面と上記スライド導体の間に介在されていて上記レール部材内にスライド導体をスライド可能に挟持している板バネと、を備えていることを特徴とする請求項１〜３の何れかに記載の集合表示器。
【請求項５】
上記板バネは、一端部が上記レール部材に取り付けられ、他端部が上記スライド導体に摺接しているとともに、
上記スライド導体は、上記板バネの他端部に当接して該スライド導体の移動量を規制するストッパーを備えていることを特徴とする請求項４に記載の集合表示器。
【請求項６】
上記板バネは、一端部が上記スライド導体に取り付けられ、他端部が上記レール部材に摺接しているとともに、
上記レール部材は、上記板バネの他端部に当接して上記スライド導体の移動量を規制するストッパーを備えていることを特徴とする請求項４に記載の集合表示器。
【請求項７】
上記レール部材は、両端部に長さ方向の両端部に、隣接する表示器のスライド導体が接続される接続端子を有し、上記両端部の接続端子は、互いが導体によって導通されていることを特徴とする請求項４〜６の何れかに記載の集合表示器。
【請求項８】
上記接続端子は、弾性を有する導電性素材により断面略Ｕ字状に形成されていることを特徴とする請求項７に記載の集合表示器。
【発明の詳細な説明】
【技術分野】
【０００１】
本発明は、多数の表示灯を水平方向及び/又は垂直方向に並べて、これら多数の表示器を導体で電気的に接続してなる集合表示器に関する。
【背景技術】
【０００２】
集合表示器として例えば、図７に示すものが知られている。この集合表示器１０１は、多数の表示器１０２を横（水平方向）及び/又は縦（垂直方向）に並べて、各表示器１０２の背面に設けた外部電源端子１０３を外部渡り線（渡りバー）１０４で接続するのが一般的であった。１０５は信号入力端子である。なお、集合表示器等の接続構造の先行技術文献として例えば特許文献１や２が存在する。
【先行技術文献】
【特許文献】
【０００３】
【特許文献１】特開平９−４４１０１号公報
【特許文献２】特開平７−２３１５２６号公報
【発明の概要】
【発明が解決しようとする課題】
【０００４】
ところで、上記従来の外部渡り線１０４を使用する方法は、表示器１０２の背面側において外部電源端子１０３を外部渡り線１０４で接続するので、並べた表示器１０２の列数や段数が多いと接続作業が困難になるという問題点があった。
【０００５】
本発明は、外部渡り線１０４を使用せずに、簡単容易に多数の表示器を接続可能にしたものである。
【課題を解決するための手段】
【０００６】
請求項１の発明は、側面に外部端子を設けた複数の表示器を横方向及び縦方向に並べて、これら表示器相互を導体により電気的に接続することにより構成した集合表示器において、
上記表示器内に、上記外部端子と接触状態を保ちながら上記表示器内をスライドするスライド導体と、該スライド導体のスライドをガイドするスライドガイド機構を設け、上記スライド導体を導体操作摘みで一方向にスライドさせることにより、その先端部を上記表示器外に突出させて、該先端部を隣接する表示器内に挿入して隣接する表示器のスライド導体に接続することを特徴とする。
【０００７】
請求項２の発明は、請求項１記載の集合表示器において、
上記スライド導体は、横方向に隣接する表示器に接続する横方向スライド導体と、縦方向に隣接する表示器に接続する縦方向スライド導体と、からなり、
上記スライドガイド機構は、上記横方向スライド導体のスライドをガイドする横方向スライドガイドと、上記縦方向スライド導体のスライドをガイドする縦方向スライドガイドと、からなることを特徴とする。
【０００８】
請求項３の発明は、請求項１又は２記載の集合表示器において、
上記横方向スライド導体の操作摘みは、上記表示器の上面に設けた横方向スライド導体操作摘み受け孔内に収容し、上記縦方向スライド導体の操作摘みは、上記表示器の側面に設けた縦方向スライド導体操作摘み受け孔内に収容したことを特徴とする。
【０００９】
請求項４の発明は、請求項１〜３の何れかに記載の集合表示器において、
上記スライドガイド機構は、絶縁材で断面略コ字状に形成されたレール部材と、該レール部材の対向面と上記スライド導体の間に介在されていて上記レール部材内にスライド導体をスライド可能に挟持している板バネと、を備えていることを特徴とする。
【００１０】
請求項５の発明は、請求項４に記載の集合表示器において、上記板バネは、一端部が上記レール部材に取り付けられ、他端部が上記スライド導体に摺接しているとともに、上記スライド導体は、上記板バネの他端部に当接して該スライド導体の移動量を規制するストッパーを備えていることを特徴とする。
【００１１】
請求項６の発明は、請求項４に記載の集合表示器において、上記板バネは、一端部が上記スライド導体に取り付けられ、他端部が上記レール部材に摺接しているとともに、上記レール部材は、上記板バネの他端部に当接して上記スライド導体の移動量を規制するストッパーを備えていることを特徴とする。
【００１２】
請求項７の発明は、請求項４〜６の何れかに記載の集合表示器において、上記レール部材は、両端部に長さ方向の両端部に、隣接する表示器のスライド導体が接続される接続端子を有し、上記両端部の接続端子は、互いが導体によって導通されていることを特徴とする。
【００１３】
請求項８の発明は、請求項７に記載の集合表示器において、上記接続端子は、弾性を有する導電性素材により断面略Ｕ字状に形成されていることを特徴とする。
【発明の効果】
【００１４】
（１）請求項１の集合表示器は、操作摘みでスライド導体を一方向にスライドさせて、先端部を表示器の外部に突出させることにより、隣接する表示器のスライド導体に接続することができる。従来のように、表示器の背面側において、複数の表示器の外部端子を外部渡り線（渡りバー）で接続するという面倒な作業を無くすことができる。
（２）請求項２の集合表示器は、上記スライド導体を、横方向に隣接する表示器に接続する横方向スライド導体と、縦方向に隣接する表示器に接続する縦方向スライド導体と、で構成したので、横方向に並べた表示器のみならず、縦方向に並べた表示器も接続することができる。
（３）請求項３の集合表示器は、横方向スライド導体の操作摘みを、表示器の上面に設けた横方向スライド導体操作摘み受け孔内に収容して、上記上面からの突出を防止すると共に、上記縦方向スライド導体の操作摘みを、表示器の側面に設けた縦方向スライド導体操作摘み受け孔内に収容して、上記上面からの突出を防止したので、表示器相互を隙間無く密着させた状態で縦横方向に配置することができる。
（４）請求項４の集合表示器は、スライド導体を、断面略コ字状に形成されたレール部材内において板バネによってスライド可能に挟持したので、スライド導体を円滑にスライドさせることができる。
（５）請求項５，６の集合表示器は、ストッパーによりスライド導体の移動量を規制して、必要以上にスライド導体が突出するのを防止することができる。
（６）請求項７の集合表示器は、表示器のスライド導体の先端部を突出させて、該先端部を隣接する表示器内に挿入すると、前記先端部は、隣接する表示器の接続端子に挟着されて隣接する表示器のスライド導体を電気的に接続することができる。隣接する表示器のスライド導体同士を直接、接触させる場合に較べて、隣接する表示器のスライド導体同士の電気的接続を確実なものにすることができる。
（７）請求項８の集合表示器は、上記接続端子を、弾性を有する導電性素材により断面略Ｕ字状に形成したので、該断面略Ｕ字状の接続端子の弾性を利用して、接続端子を、挿入されてきた隣接する表示器のスライド導体に圧着させて両者を確実に電気的に接続することができる。
【図面の簡単な説明】
【００１５】
【図１】集合表示器を背面側、かつ一側面側から見た斜視図。
【図２】集合表示器を背面側、かつ他側面側から見た斜視図。
【図３】（Ａ）はスライド導体の端部を突出させた状態の背面図、（Ｂ）は（Ａ）のＢ−Ｂ矢視図、（Ｃ）は（Ａ）のＣ−Ｃ矢視図。
【図４】横スライドガイド機構の要部を示す平面図。
【図５】縦スライドガイド機構の要部を示す平面図。
【図６】隣接する表示器の横方向スライド導体相互を接続した状態を示す説明図。
【図７】従来例の説明図。
【発明を実施するための形態】
【００１６】
以下、本発明の実施の形態を図１〜図６を参照して説明する。本発明の集合表示器１は、例えば多数の表示器２を横方向（水平方向）に３列以上、縦方向（垂直方向）に２段以上並べて、これら表示器２相互を、図３に示す横方向スライド導体３と縦方向スライド導体４により電気的に接続することにより構成されている。
【００１７】
図３（Ａ）に示すように、表示器２の背面２ａの対角位置には、第１の外部端子（以下、電源端子）５と、第２の外部端子（以下、信号入力端子）６が設けられている。横方向スライド導体３と縦方向スライド導体４は、電源端子５に接続されている。
【００１８】
横方向スライド導体３は、横方向にスライド可能になっていて、横導体操作摘み７で図３（Ａ）の右方（矢印ａ方向）にスライドさせると、その先端部３ａが表示器２の右側面２ｂから突出して、右隣に配置された表示器２の横方向スライド導体３に接続される。
【００１９】
また、縦方向スライド導体４は、縦方向にスライド可能になっていて、縦導体操作摘み８で図３の上方（矢印ｂ方向）にスライドさせると、その先端部４ａが表示器２の上面２ｃから突出して、上隣に配置された表示器２の縦方向スライド導体４に接続される。
【００２０】
図１に示すように、表示器２の上面２ｃには、背面２ａと略並行に上記横導体操作摘み７を外部に臨ませる摘み受け孔９が形成されている。横導体操作摘み７は、表示器２の上面２ｃよりも上に突出しないように摘み受け孔９内に収容されていて、筐体２の上面２ｃに他の表示器２を積み重ねるのに支障を来たさないようになっている。また、筐体２の上面２ｃの上記摘み受け孔９の側方には縦方向スライド導体４の先端部４ａが突出する導体突出孔１０が形成されている。
【００２１】
図２に示すように、表示器２の一方の側面（以下、右側面）２ｂには、横方向スライド導体３の端部３ａが突出する導体突出孔１１が形成されていて、上記横導体操作摘み７で横方向スライド導体３を図２の右方にスライドさせると、破線で示すように横方向スライド導体３の先端部３ａが表示器２の右側面２ｂから突出する。
【００２２】
また、図１に示すように、上記表示器２の他方の側面（以下、左側面）２ｄには、背面２ａと略並行に縦導体操作摘み８を外部に臨ませる摘み受け孔１２が形成されている。縦導体操作摘み８は、表示器２の左側面２ｄから突出しないように摘み受け孔１２内に収容されていて、筐体２の左側面に他の表示器２を配置するのに支障を来たさないようになっている。
【００２３】
次に、横方向スライド導体３のスライドガイド機構（以下、横スライドガイド機構と称する）２１について説明する。図４，図５に示すように、横スライドガイド機構２１は、絶縁材で断面略コ字状に形成されたレール部材２２と、該レール部材２２の対向面２２ａ，２２ｂに取り付けられていて横方向スライド導体３の両側面を挟んでスライド可能に支持している板バネ２３，２４と、を備えている。
【００２４】
板バネ２３，２４は、一端部２３ａ，２４ａが上記レール部材２２に取り付けられ、他端部２３ｂ，２４ｂがスライド導体３に摺接している。また、スライド導体３は、板バネ２３，２４の他端部２３ｂ，２４ｂが当接するストッパー２５を備えている。そして、板バネ２３，２４の他端部２３ｂ，２４ｂがストッパー２５に当接することにより、スライド導体３を所定量突出させる。
【００２５】
図面に示す実施例においては、板バネ２３，２４の一端部２３ａ，２４ａをレール部材２２に取り付けた場合を示したが、これとは逆に、板バネ２３，２４をスライド導体３に取り付け、レール部材２２にストッパー２５を設けてもよい。また、図面に示す実施例では、ストッパー２５として突起を設けた場合を示したが、突起の代わりに長溝を設け、該長溝に板バネ２３，２４の端部を挿入して、長溝の長さ方向の端面に板バネ２３，２４の一端部２３ａ，２４ａを当てることによりストッパー２５としてもよい。
【００２６】
上記レール部材２２は、一端部側の対向面２２ａ，２２ｂに、横方向スライド導体３の一端部側を挟着する一対の断面略Ｕ字状の弾性を有する導電性素材で形成された接続端子２６ａ，２６ｂを備え、他端部側の対向面２２ａ，２２ｂに横方向スライド導体３の他端部側を挟着する一対の断面略Ｕ字状の弾性を有する導電性素材で形成された接続端子２７ａ，２７ｂと、を備えている。
【００２７】
接続端子２６ａ，２６ｂと２７ａ，２７ｂは、横方向スライド導体３を挟着することにより、横方向スライド導体３に接続されていると共に、導体（図６参照）２８によって一端部の接続端子２６ａと他端部の接続端子２７ａが電気的に接続されている。
【００２８】
また、図５に示すように、縦方向スライド導体４のスライドガイド機構（以下、縦スライドガイド機構と称する）２９は、上記横スライドガイド機構２１と同様に、絶縁材で断面略コ字状に形成されたレール部材３０と、該レール部材３０の対向面３０ａ，３０ｂに取り付けられていて縦方向スライド導体４の両側面を挟んでスライド可能に支持している板バネ３１，３２と、を備えている。
【００２９】
板バネ３１，３２は、上記板バネ２３，２４と同様に、一端部が上記レール部材３０に取り付けられ、他端部がスライド導体３に摺接している。そして、ストッパー（図示省略）によりスライド導体４の移動量が規定されている。
【００３０】
上記レール部材３０は、一端部側（図５の下端部側）の対向面３０ａ，３０ｂに、縦方向スライド導体３の下端部側を挟着する一対の接続端子３３ａ，３３ｂを備え、レール部材３０の他端部（図５の上端部側）の対向面３０ａ，３０ｂに、縦方向スライド導体３の上端部側を挟着する一対の接続端子（図示省略）と、を備えている。接続端子３３ａ，３３ｂ等は弾性を有する導電性素材により断面略Ｕ字状に形成されている。
【００３１】
上記レール部材３０の一端部側（図５の下端部側）に取り付けられた接続端子３３ａと、上記レール部材３０の他端部側（図５の上端部側）に取り付けられた接続端子（図示省略）は、図６に示した横スライドガイド機構２１と同様に、縦方向スライド導体４を挟着することにより、縦方向スライド導体４に接続されていると共に、導体（図示省略）によって一端部の接続端子３３ａと他端部の接続端子（図示省略）が接続されている。
【００３２】
隣接する表示器２の横方向スライド導体３に接続する場合には、図６に示すように、左端の表示器２の横方向スライド導体３を横方向操作摘み７で、図６の右方にスライドさせると、横方向スライド導体３の先端部３ａが右隣の表示器２のレール部材２１の一端部に設けた一対の接続端子２６ａ，２６ｂに挟着され、隣接する表示器２の横方向スライド導体３に接続される。
【００３３】
隣接する表示器２の横方向スライド導体３相互をＵ字状の接続端子２６ａ，２６ｂを介して接続する構成にしたので、横方向スライド導体３相互の先端部に、図６に示すように、隙間Ｇが生じ、横方向スライド導体３相互が直接、接触していない場合でも隣接する表示器２の横方向スライド導体３相互を電気的に接続させることができる。
【００３４】
また、垂直方向に並べた上下の表示器２を接続する場合には、下段の表示器２の縦方向スライド導体４を縦方向操作摘み８で上方にスライドさせると、縦方向スライド導体４の先端部４ａが上段の表示器２のレール部材３０の上端部側に設けた接続端子（図示省略）に挟着されて、上下方向に隣接する表示器２の縦方向スライド導体３相互が接続される。なお、端子５は、板バネ２３，２４又はＵ字状の接続端子２６ａ，２６ｂを介してスライド導体３に導通されている。
【００３５】
次に、図１，図２に示した集合表示器１の組立方法の一例について説明する。先ず、表示器２を横方向に３個並べて表示器２相互を横方向スライド導体３で接続する。次に、上記３個の表示器２の上に３個の表示器２を載置して、これら表示器２相互を横方向スライド導体３で接続する。次に、左端に位置する上下段の
表示器２を縦方向スライド導体４で接続すれば、６個の表示器２の電源端子５は直列に接続された状態になる。
【００３６】
なお、上記実施例においては、全ての表示器２を同じ構成にした場合を示したので、末端部の表示器２、即ち、更に表示器２を接続する必要の無い表示器２においては、横方向スライド導体３の先端部３ａや縦方向スライド導体４の先端部４ａを突出させる必要性は無く、突出させると却って邪魔になり危険であるので、横方向スライド導体３の先端部３ａや縦方向スライド導体４の先端部４ａを突出させない構成にすることができる。
【００３７】
また、上記実施例においては、表示器２相互の電源端子５を接続する場合について説明したが、信号入力端子６も電源端子５と同様に接続される。
【符号の説明】
【００３８】
１…集合表示器
２…表示器
３…横方向スライド導体
４…縦方向スライド導体
５…第１の外部端子（電源端子）
６…第２の外部端子（信号入力端子）
７…横導体操作摘み
８…縦導体操作摘み
９…横導体操作摘み受け孔
１０…縦方向スライド導体突出孔
１１…横方向スライド導体突出孔
１２…横導体操作摘み受け孔
２１…横方向スライドガイド機構
２２…レール部材
２３，２４…板バネ
２５…ストッパー
２６ａ，２６ｂ…一対の接続端子
２７ａ，２７ｂ…一対の接続端子
２８…導体
２９…横方向スライドガイド機構
３０…レール部材
３１，３２…板バネ
３３ａ，３３ｂ…一対の接続端子
【図１】
2013190707.tif 000003
【図２】
2013190707.tif 000004
【図３】
2013190707.tif 000005
【図４】
2013190707.tif 000006
【図５】
2013190707.tif 000007
【図６】
2013190707.tif 000008
【図７】
2013190707.tif 000009